(57)【特許請求の範囲】
【請求項１】
固定媒体から建物の床面に係る画像データを取得する画像取得部と、
前記画像データが示す画像及び床仕上げ材の仕様を製品毎に表示する表示部と、
前記表示部に表示された画像上の任意の点の指定、前記画像上の任意の領域の指定、前記床仕上げ材の製品の選択及び数値の入力が可能な入力部と、
前記入力部から入力された前記画像上の任意の２点の指定及び該２点に対応する前記床面の２点の間の距離の実測値に基づいて前記床面の実寸法を算出すると共に、該算出した前記床面の実寸法と前記入力部によって選択された床仕上げ材の製品の仕様とに基づいて前記入力部から指定された領域における床仕上げ材の割り付け及び該割り付けに必要な床仕上げ材の枚数を算出する演算処理部と、
を備えた床仕上げ材自動割付システム。
【請求項２】
前記床仕上げ材の仕様は、床仕上げ材の幅、長さ及びずらし寸法の各数値を含む請求項１に記載の床仕上げ材自動割付システム。
【請求項３】
前記固定媒体は、画像が記録された紙媒体又はフィルムを含む請求項１又は２に記載の床仕上げ材自動割付システム。
【請求項４】
前記演算処理部は、前記画像上で指定された任意の２点間の画素数と該２点に対応する前記床面の２点の間の距離の実測値とを対応付けることにより、前記入力部から指定された領域の画素数から該領域に対応する前記床面の実寸法を算出すると共に、該領域の形状、実寸法及び前記床仕上げ材の仕様に基づいて該領域における床仕上げ材の割り付け及び該割り付けに必要な床仕上げ材の枚数を算出する請求項１〜３のいずれか１項に記載の床仕上げ材自動割付システム。
【請求項５】
前記算出した床仕上げ材の割り付け及び該割り付けに必要な床仕上げ材の枚数を外部に送信する送信部をさらに備えた請求項１〜４のいずれか１項に記載の床仕上げ材自動割付システム。
【発明の詳細な説明】
【技術分野】
【０００１】
本発明は、建物の床の床仕上げ材であるパネルの割付を行う床仕上げ材自動割付システムに関する。
【背景技術】
【０００２】
建物の床にフローリングを施工するには、フローリングを構成するパネルを床の形状及び大きさに応じて割り付ける必要がある。パネルは所定の幅及び長さを有する長方形を呈するが、床の一辺から対向する一辺までの寸法は、パネルの所定の幅又は長さで割り切れるとは限らないので、パネルを必要に応じて切断することを考慮してパネルの割り付けを行う。
【０００３】
特許文献１には、ＣＡＤ（コンピュータ支援設計）等による建物の構造図面の電子データを利用して、パネルの割り付けを行うパネルの自動割付装置の発明が開示されている。
【先行技術文献】
【特許文献】
【０００４】
【特許文献１】特開昭５８−６５８６６号公報
【発明の概要】
【発明が解決しようとする課題】
【０００５】
しかしながら、特許文献１に記載のパネル自動割付システムは、建物の設計図の電子データを必要とする。建物の新築時であれば、ＣＡＤ等による設計図の電子データを流用できるが、新築時から時間が経過したリフォーム等の際には、既に建物の設計図の電子データが残っていない場合があり、かかる場合には、パネルの自動的な割り付けができないという問題点があった。
【０００６】
本発明は、上記事実を考慮して成されたもので、建物の設計図の電子データが存在しない場合でもパネルの自動割付が可能な床仕上げ材自動割付システムを提供することを目的とする。
【課題を解決するための手段】
【０００７】
上記課題を解決するための第１の態様は、固定媒体から建物の床面に係る画像データを取得する画像取得部と、前記画像データが示す画像及び床仕上げ材の仕様を製品毎に表示する表示部と、前記表示部に表示された画像上の任意の点の指定、前記画像上の任意の領域の指定、前記床仕上げ材の製品の選択及び数値の入力が可能な入力部と、前記入力部から入力された前記画像上の任意の２点の指定及び該２点に対応する前記床面の２点の間の距離の実測値に基づいて前記床面の実寸法を算出すると共に、該算出した前記床面の実寸法と前記入力部によって選択された床仕上げ材の製品の仕様とに基づいて前記入力部から指定された領域における床仕上げ材の割り付け及び該割り付けに必要な床仕上げ材の枚数を算出する演算処理部と、を備える。
【０００８】
第１の態様によれば、固定媒体から読み取った画像上の任意の２点の指定及び当該２点に対応する床面の２点の間の距離の実測値に基づいて床面の実寸法を算出することにより、実寸法が記載された設計図等がなくても、床面の実寸法を把握することができる。
【０００９】
また、第１の態様によれば、算出した床面の実寸法と床仕上げ材の仕様とに基づいて、指定された領域での床仕上げ材の割り付け及び当該割り付けに必要な床仕上げ材の枚数を算出することができる。
【００１０】
第２の態様は、前記床仕上げ材の仕様は、床仕上げ材の幅、長さ及びずらし寸法の各数値を含む。
【００１１】
第２の態様によれば、算出した床面の実寸法と床仕上げ材の寸法とに基づいて、指定された領域での床仕上げ材の割り付け及び当該割り付けに必要な床仕上げ材の枚数を算出することができる。
【００１２】
第３の態様は、前記固定媒体は、画像が記録された紙媒体又はフィルムを含む。
【００１３】
第３の態様によれば、紙媒体の設計図又は床面の写真に基づいて当該床面の実寸法を算出し、算出した床面の実寸法と床仕上げ材の仕様とに基づいて、指定された領域での床仕上げ材の割り付け及び当該割り付けに必要な床仕上げ材の枚数を算出することができる。
【００１４】
第４の態様は、前記演算処理部は、前記画像上で指定された任意の２点間の画素数と該２点に対応する前記床面の２点の間の距離の実測値とを対応付けることにより、前記入力部から指定された領域の画素数から該領域に対応する前記床面の実寸法を算出すると共に、該領域の形状、実寸法及び前記床仕上げ材の仕様に基づいて該領域における床仕上げ材の割り付け及び該割り付けに必要な床仕上げ材の枚数を算出する。
【００１５】
第４の態様によれば、画像上で指定された任意の２点間の画素数と当該２点に対応する床面の２点の間の距離の実測値とを対応付けることにより、床面の実寸法を算出する。そして、算出した床面の実寸法と床仕上げ材の仕様とに基づいて、指定された領域での床仕上げ材の割り付け及び当該割り付けに必要な床仕上げ材の枚数を算出することができる。
【００１６】
第５の態様は、前記算出した床仕上げ材の割り付け及び該割り付けに必要な床仕上げ材の枚数を外部に送信する送信部をさらに備える。
【００１７】
第５の態様によれば、自動割付による計算結果を施工業者及び床仕上げ材を供給する部材メーカー等に送信することにより、工期を短縮することができる。
【発明の効果】
【００１８】
以上説明したように、本発明に係る床仕上げ材自動割付システムは、建物の設計図の電子データが存在しない場合でも床仕上げ材の自動割付ができる。
【図面の簡単な説明】
【００１９】
【図１】本発明の実施の形態に係る床仕上げ材自動割付システムの一例を示す概略図である。
【図２】本発明の実施の形態に係る床仕上げ材自動割付システムにおける作業用端末の概略構成を示すブロック図である。
【図３】本発明の実施の形態に係る床仕上げ材自動割付システムの処理の一例を示したフローチャートである。
【図４】スキャナによって取得された建物の床面の画像データの一例である。
【図５】建物の床面の撮影の一例を示した概略図である。
【図６】画像データにスケールが設定された場合の一例を示した概略図である。
【図７】画像データに床仕上げ材割り付けの対象領域が設定された場合の一例を示した概略図である。
【図８】本発明の実施の形態における部材選択表の一例を示した概略図である。
【図９】本発明の実施の形態における配置点指定の一例を示した概略図である。
【図１０】本発明の実施の形態におけるパネル割り付けの一例を示した概略図である。
【発明を実施するための形態】
【００２０】
以下、図面を参照して本発明の実施の形態の一例を詳細に説明する。図１は、本発明の実施の形態に係る床仕上げ材自動割付システム１０の一例を示す概略図である。図１に示したように、紙媒体を読み込んで画像データを取得するスキャナ３２と、スキャナ３２が取得した画像データに基づいて床仕上げ材自動割付を行う作業用端末３０とを備えている。また、作業用端末３０はネットワーク７０を介して部材メーカー７２及び施工業者７４と通信可能に接続されている。
【００２１】
作業用端末３０は、床仕上げ材自動割付用のソフトウェアがインストールされた端末であり、マウス及びキーボード等の操作入力部と、情報を表示するための表示部と、を備える。作業用端末３０は、ＰＣ（パーソナルコンピュータ）又はワークステーション等の演算処理能力を備えた装置であり、文字、記号、画像及びこれらの結合を表示部に表示可能なグラフィック環境を備え、当該グラフィック環境は、マウス等のポインティングデバイスを用いた操作が可能なＧＵＩ（Graphical User Interface）を有する。
【００２２】
画像データを取得するスキャナ３２は、主には紙媒体である建物の設計図をスキャンするが、設計図以外にもパネルを施工する床面の写真でもよい。床面の写真は、印画紙に焼き付けられたいわゆるプリントでもよいし、スキャナ３２が透過画像をスキャンできるのであれば、ネガ又はポジ画像が記録されたフィルムでもよい。本実施の形態では、設計図等の紙媒体、画像が記録されたフィルム及び印画紙を固定媒体と総称する。また、スキャナ３２に代えて、デジタルカメラ、スマートフォン、タブレット端末を用いて設計図等の固定媒体を撮影し、画像データを取得してもよい。
【００２３】
ネットワーク７０は、一例としてインターネットであり、作業用端末３０は、通信に係る情報を暗号化することにより秘匿性を担保したｈｔｔｐｓ（Hypertext Transfer Protocol Secure）によって部材メーカー７２及び施工業者７４と通信する。または、作業用端末３０と部材メーカー７２及び施工業者７４との間で暗号処理された通信を行うことにより、仮想的な専用線を構築するＶＰＮ（Virtual Private Network）を用いてもよい。
【００２４】
図２は、本実施の形態に係る床仕上げ材自動割付システム１０における作業用端末３０の概略構成を示すブロック図である。作業用端末３０は、ＣＰＵ（Central Processing Unit）１２と、ＨＤＤ（Hard Disk Drive）１４と、ＲＡＭ（Random Access Memory）１６と、ネットワークＩ／Ｆ部１８と、ＲＯＭ（Read Only Memory）２０とを含む。また、作業用端末３０は表示部２２と、操作入力部２４と、バス２６とを含んでおり、情報を入力する端末と情報を表示する端末との機能を有している。
【００２５】
ＣＰＵ１２は、作業用端末３０の全体の動作を司るものであり、表示部２２及び操作入力部２４の制御もする。ＨＤＤ１４は床仕上げ材自動割付プログラム、部材メーカー７２及び施工業者７４との通信プログラム、ＯＳ（Operating System）及び各プログラムの実行に供するデータ等が記録される不揮発性の記憶装置である。ＲＡＭ１６は、ＯＳ、プログラム又はデータが展開される揮発性の記憶装置である。床仕上げ材自動割付プログラム、並びに部材メーカー７２及び施工業者７４との通信プログラムは各々独立別個のプログラムでもよいし、一体化されたプログラムでもよい。なお、部材メーカー７２及び施工業者７４との通信プログラムは、床仕上げ材自動割付プログラムのアドオン又はプラグインの形式で床仕上げ材自動割付プログラムに追加され、床仕上げ材自動割付プログラムと協働するプログラムであってもよい。
【００２６】
ネットワークＩ／Ｆ部１８は、ネットワーク７０に接続するためのものであり、ＮＩＣ（Network Interface Card）やそのドライバで構成される。ＲＯＭ２０は、作業用端末３０の起動時に動作するブートプログラムなどが記憶されている不揮発性の記憶装置である。表示部２２は、設計に関する情報をユーザに表示するものである。操作入力部２４は、ユーザが床仕上げ材自動割付システム１０の操作や情報を入力する際に用いられるものであり、一例としてタッチパネル、キーボード等の入力装置及びトラックボール、ペンタブレット若しくはマウス等のポインティングデバイスが含まれる。バス２６は、情報のやりとりが行われる際に使用される。
【００２７】
外部インターフェース２８は、画像データを取得するスキャナ３２等を接続するためのインターフェースであり、一例として、ＵＳＢ（Universal Serial Bus）、IEEE 1394、Thunderbolt及びＳＣＳＩ等のいずれかの規格に適合している。
【００２８】
図３は、本実施の形態に係る床仕上げ材自動割付システム１０の処理の一例を示したフローチャートである。
【００２９】
ステップ３００では、スキャナ３２によって建物の設計図等の紙媒体を読み込み、建物の床面の画像データを取得する。図４は、スキャナ３２によって取得された建物の床面の画像データの一例である。建物の設計図が残存していない場合には、建物の床面を撮影した写真から画像データを取得してもよい。図５は、建物の床面の撮影の一例を示した概略図である。図５では、スタンド４４に取り付けられたカメラ４２によって、建物の床面４０を撮影している。スタンド４４は、カメラ４２のレンズの光軸が床面４０の中心に対して垂直になるようにカメラ４２を保持する。カメラ４２は、撮影媒体の種類（銀塩フィルム又は撮像素子の別）及び撮影媒体のサイズ（フォーマット）は問わないが、可能であれば画像の歪みを補正できるあおり機構を備えたものが望ましい。
【００３０】
スタンド４４は、相応の重量を有するカメラ４２を安定的に保持するために、カメラ４２との重量のバランスを担保するためのカウンタウェイト４４Ａを有していることが望ましい。
【００３１】
なお、図５のように撮影した画像には、スタンド４４の一部が必然的に写り込むので、必要に応じてビットマップ画像編集ソフトウェア等により修正する。
【００３２】
ステップ３０２では、取得した画像データ上にスケールが設定されたか否かを判定する。図６は、画像データにスケールが設定された場合の一例を示した概略図である。スケールの設定は、例えば、ユニットにおいて相対する妻面のＤＬ（Datum Line）間の距離を実測し、画像データ上に設定する。図６では、左下の部屋の左右のＤＬ間の距離が２５００ｍｍであると設定されている。本実施の形態では、マウス等のポインティングデバイスにより、一方のＤＬに相当する一点をクリックすると、当該一点での一方のＤＬに対する垂線が表示部２２に表示された画像データ上に描画される。ユーザは、一方のＤＬに相対するＤＬと当該垂線との交点をマウス等でクリックしてスケール設定の基準線を設定した後、当該基準領域の実測値を入力することにより、スケールを設定する。本実施の形態では、基準線の端点の座標指定は画素単位で正確に行うことが望ましいので、表示部２２に表示された画像データを必要に応じて拡大して、精密な座標指定が可能なようにする。又は、画像データ上の画素の数値（画素値）が大きく変化する部分をＤＬとして抽出し、ユーザによるマウス等の操作の精度に難がある場合には、ユーザが指定した点の近傍に存在する画素値が大きく変化する点を基準線の始点及び終点としてもよい。
【００３３】
ステップ３０４では、スケール設定に基づき、画像データが示す建物の実寸法が算出される。ステップ３０４では、スケール設定で指定された実寸法と、スケール設定の基準線である相対するＤＬ間の画素数とを対応付けることにより、画像データにおける画素数と建物の実寸法との関係を抽出し、当該関係に基づいて、画像データに対応する床面の実寸法を算出する。
【００３４】
ステップ３０６では、パネル割り付けの対象領域が選択されたか否かを判定する。図７は、画像データにパネル割り付けの対象領域が設定された場合の一例を示した概略図である。パネル割り付けの対象領域の設定は、例えば、図７に示したように、床面の角の各々をマウス等でクリックする座標指定を行うことにより、パネル割り付けの対象領域６０を設定する。本実施の形態では、座標指定を画素単位で正確に行うことが望ましいので、表示部２２に表示された画像データを必要に応じて拡大して、精密な座標指定が可能なようにする。又は、画像データ上の画素の数値（画素値）が大きく変化する点を床面の角として抽出し、ユーザによるマウス等の操作の精度に難がある場合には、ユーザが指定した点の近傍に存在する画素値が大きく変化する点を座標指定するようにしてもよい。
【００３５】
ステップ３０８では、部材が選択されたか否かを判定する。部材の選択は、表示部２２に画像データの表示とは別個のウィンドウで表示される部材選択表から選択される。図８は、本実施の形態における部材選択表の一例を示した概略図である。図８に示したように、部材選択表は、各部材の幅、長さ、ずらし寸法及び形態が記載されており、ユーザはいずれかの部材に係る行をマウス等でクリックすることにより部材を選択する。なお、ずらし寸法とは、図８の「形態」の項に示したように、１の部材内での上段と下段の長手方向での配置のずれを示している。
【００３６】
ステップ３１０では、配置点の選択がされたか否かを判定する。配置点とは、パネルの割り付けを開始する位置である。一般的には、床面の略中央、床面の角又は床面の辺上の一点を指定する。図９は、本実施の形態における配置点指定の一例を示した概略図である。ユーザは、配置点を指定したい位置にマウス等のカーソル５０を移動させてクリックすることにより配置点を指定する。
【００３７】
ステップ３１０で肯定判定の場合には、ステップ３１２でパネルの割り付け及びパネルの必要枚数が算出される。図１０は、本実施の形態におけるパネル割り付けの一例を示した概略図である。図１０に示したように、パネル割り付けの対象領域にパネルが割り付けられた状態が表示され、別ウィンドウで割り付けに必要なパネルの枚数が具体的に表示される。
【００３８】
パネルの割り付けは、対象領域の形状、実寸法及びパネルの寸法に基づいて行われる。図７のように抽出された対象領域６０上を、前述の画像データの画素数と建物の実寸法との関係に基づいて対象領域６０上での大きさが調整されたパネル１枚分の領域毎に分割して、パネルの割り付けを行う。
【００３９】
本実施の形態では、対象領域の画素の分布から対象領域の長手方向を検出し、配置点を通り長手方向に平行な直線を配置線として設定する。次いで、配置点とパネル１枚分の領域の１の頂点とが一致し、かつ当該パネル１枚分の領域の長辺が配置線と重なる状態で最初のパネル１枚分の領域を設定し、以後は、当該領域に隣接し、かつ、領域同士が重ならないようにして対象領域をパネル１枚分の領域毎に分割していく。
【００４０】
多くの場合、対象領域の境界ではパネル１枚分の領域が当該境界で切断されたように部分的に表示される。本実施の形態では、対象領域をパネル１枚分の領域で分割した結果、対象領域の境界との干渉により、対象領域内に一部分が残っているパネルの領域の形状及び画素数から、対象領域に接するパネルの各々の形状及び大きさを算出する。
【００４１】
ステップ３１０で否定判定の場合には、ステップ３１４において配置点デフォルト値でパネルの割り付けが行われ、パネルの必要枚数が算出される。デフォルの配置点は、例えば、床面の略中央である。又は、床面の略中央、床面の角又は床面の辺上の一点を各々配置点としてパネルの割り付けを行った場合に、パネルの必要枚数が最小となる場合を表示部２２に表示してもよい。
【００４２】
ステップ３１６では、部材の種類、パネルの割り付け、パネルの必要枚数の計算結果を部材メーカー７２及び施工業者７４に送信して処理を終了する。部材メーカー７２は、指定された種類の部材を算出された必要枚数分用意して出荷し、施工業者７４は算出されたパネルの割り付けに従ってパネルの施工をする。
【００４３】
以上説明したように、本実施の形態によれば、紙媒体等の固定媒体に記録された建物の設計図等に記録された画像を画像データとして抽出している。また、本実施の形態では、抽出した画像データの画素数と建物の床面の実寸法との関係を、画像データ上の任意の２点間の画素数と当該２点間に対応する床面の２点間の実寸法とを対応付けて算出することにより、画像データから床面各部の実寸法を算出可能に構成されている。
【００４４】
さらに本実施の形態では、算出した床面の実寸法とパネルの寸法とに基づいて対象領域におけるパネルの割り付けを行い、当該割り付けに必要なパネルの枚数を算出するので、建物の設計図の電子データが存在しない場合でもパネルの自動割付が可能となる。
【００４５】
なお、本実施の形態のスキャナ３２は、特許請求の範囲に記載の画像取得部に相当する。
【符号の説明】
【００４６】
１０   床仕上げ材自動割付システム
１２   ＣＰＵ
１４   ＨＤＤ
１６   ＲＡＭ
１８   ネットワークＩ／Ｆ部
２０   ＲＯＭ
２２   表示部
２４   操作入力部
２６   バス
２８   外部インターフェース
３０   作業用端末
３２   スキャナ
４０   床面
４２   カメラ
４４   スタンド
４４Ａ カウンタウェイト
５０   カーソル
６０   対象領域
７０   ネットワーク
７２   部材メーカー
７４   施工業者
【図１】
0006542068.tif 000002
【図２】
0006542068.tif 000003
【図３】
0006542068.tif 000004
【図４】
0006542068.tif 000005
【図５】
0006542068.tif 000006
【図６】
0006542068.tif 000007
【図７】
0006542068.tif 000008
【図８】
0006542068.tif 000009
【図９】
0006542068.tif 000010
【図１０】
0006542068.tif 000011